(57)【要約】      （修正有）【課題】鉄塔の中間部に取り付けても空中からの良好な視認性を確保しつつ、取付け作業を困難にすることがない取付金具一体型鉄塔番号表示板を提供する。【解決手段】大型の取付金具一体型鉄塔番号表示板１０は、おもて面１２Ａに鉄塔番号を表示する板状の番号札１２であって、繊維強化プラスチック（ＦＲＰ）製で寸法が４００〜９００ｍｍ×５００〜１２００ｍｍの略矩形の番号札１２と、番号札１２の裏面に取り付けられたアルミニウム製のフレームと、該フレームに取り付けられた、番号札１２を鉄塔に固定する取付金具と、を有する。【選択図】図１
0003201499.tif 000002
【実用新案登録請求の範囲】
【請求項１】
おもて面に鉄塔番号を表示する板状の番号札であって、繊維強化プラスチック（ＦＲＰ）製で寸法が４００〜９００ｍｍ×５００〜１２００ｍｍの略矩形の番号札と、
該番号札の裏面に取り付けられたアルミニウム製のフレームと、
該フレームに取り付けられた、前記番号札を鉄塔に固定する取付金具と、
を有することを特徴とする大型の取付金具一体型鉄塔番号表示板。
【請求項２】
前記取付金具が、溶融亜鉛アルミ合金メッキ加工を施した鋼製である請求項１に記載の取付金具一体型鉄塔番号表示板。
【考案の詳細な説明】
【技術分野】
【０００１】
本考案は、高圧送電線鉄塔などの鉄塔に取り付けるヘリコプター巡視用などの番号札と、この番号札を鉄塔に取り付ける金具とが一体化した、取付金具一体型鉄塔番号表示板に関する。
【背景技術】
【０００２】
高圧送電線鉄塔には、例えばヘリコプターによる空中からの巡視に際して目視による確認により鉄塔を特定できるように管理番号が表示された番号札が取り付けられている。このようなヘリコプター巡視用番号札は、通常、耐水性金属板等の標識板に「１２３」等の数字よりなる番号を表示した構成を有する。そして、ヘリコプターによる空中からの巡視に際して鉄塔毎の管理番号を判別し易くするために、従来の番号札は、鉄塔の頂部に近い位置の鉄材に取り付けられていた。このようなヘリコプター巡視用番号札は、特許文献１に記載されている。
【０００３】
従来のヘリコプター巡視用番号札は、アルミ製で寸法は縦３００ｍｍ×横４５０ｍｍの矩形のものが主流であった。また、番号札を鉄塔に取り付ける取付金具は鉄製のものが大半であった。
【先行技術文献】
【特許文献】
【０００４】
【特許文献１】実開平７−９０３０号公報
【考案の概要】
【考案が解決しようとする課題】
【０００５】
鉄塔は頂部に近づくほど番号札を固定可能な部位が狭くなるため、番号札の面積も上記のような寸法に制限せざるを得ず、また、一枚の番号札に記載する数字の桁数が増えるほど個々の数字が小さくなるため、空中からの判読が困難となる傾向があった。また、鉄塔の頂部付近に番号札を取り付けると、冬季に鉄塔の頂部に雪が積もり、番号札が全く見えなくなるという問題もあった。
【０００６】
そのため、本考案者らは、番号札をこれまでより大きくし、鉄塔の頂部ではなく中間部に取り付けることを想起した。中間部は頂部よりも番号札を固定可能な部位が広く、また、一般的に頂部よりも雪が積もりにくいからである。
【０００７】
しかしながら、単に番号札を大きくしたのみでは、番号札が重くなってしまう。例えば、番号札の寸法を縦横それぞれ２倍にすると、重量は４倍になる。番号札を支持するフレームも大型化を避けられないため、実際は４倍以上となる。ここで、番号札あるいは取付金具は腐食、破損しやすい環境にあるため、交換作業を要する。これらの交換作業は高所による多大な労力を要する危険な作業である。よって、番号札あるいは取付金具は、重いと取付け作業が困難となるため、極力軽量化することが望まれている。
【０００８】
そこで本考案は、上記課題に鑑み、鉄塔の中間部に取り付けても空中からの良好な視認性を確保しつつ、取付け作業を困難にすることがない取付金具一体型鉄塔番号表示板を提供することを目的とする。
【課題を解決するための手段】
【０００９】
上記の目的を達成するべく、本考案の要旨構成は以下のとおりである。
本考案の大型の取付金具一体型鉄塔番号表示板は、おもて面に鉄塔番号を表示する板状の番号札であって、繊維強化プラスチック（ＦＲＰ）製で寸法が４００〜９００ｍｍ×５００〜１２００ｍｍの略矩形の番号札と、該番号札の裏面に取り付けられたアルミニウム製のフレームと、該フレームに取り付けられた、前記番号札を鉄塔に固定する取付金具と、を有することを特徴とする。
【００１０】
本考案において、前記取付金具は溶融亜鉛アルミ合金メッキ加工を施した鋼製であることが好ましい。
【考案の効果】
【００１１】
本考案によれば、鉄塔の中間部に取り付けても空中からの良好な視認性を確保しつつ、取付け作業を困難にすることがない取付金具一体型鉄塔番号表示板を提供することができる。
【図面の簡単な説明】
【００１２】
【図１】本考案の一実施形態による取付金具一体型鉄塔番号表示板１０の正面図である。
【図２】（Ａ）は、取付金具一体型鉄塔番号表示板１０の正面図であって、背面のフレームおよび鉄塔の鉄材Ｔを破線で示したものであり、（Ｂ）は、取付金具一体型鉄塔番号表示板１０の右側面図であり、（Ｃ）は取付金具一体型鉄塔番号表示板１０の上面図である。
【考案を実施するための形態】
【００１３】
以下、図１および図２を参照しつつ本考案の実施形態を説明する。本実施形態にかかる取付金具一体型鉄塔番号表示板１０（以下、単に「表示板１０」という。）は、図１および図２に示すように、その主たる構成部材として、板状の番号札１２と、縦フレーム１４Ａ，１４Ｂおよび横フレーム１６Ａ，１６Ｂと、取付治具２０とを有する。
【００１４】
番号札１２は、図１に示すように、おもて面１２Ａに鉄塔番号を表示する平面形状が略矩形の板状の部材であり、繊維強化プラスチック（ＦＲＰ）製で、寸法は縦ｘが４００〜９００ｍｍであり、横ｙが５００〜１２００ｍｍである。典型的には、縦ｘが６００ｍｍ、横ｙが８００ｍｍとすることができる。本実施形態では、これまで縦３００ｍｍ×横４５０ｍｍが主流であった番号札の寸法を、縦ｘ４００ｍｍ以上かつ横ｙ５００ｍｍ以上に大型化した。これにより、表示板１０が鉄塔の中間部に取り付けられた場合でも、空中からの良好な視認性を確保できる。一方、番号札の寸法が縦ｘ９００ｍｍ超えまたは横ｙ１２００ｍｍ超えの場合、後述の軽量化対策を施したとしても大型化による重量アップの影響が無視できなくなるため、本実施形態では縦ｘ９００ｍｍ以下かつ横ｙ１２００ｍｍ以下とした。番号札１２の厚みは３〜５ｍｍとすることができ、典型的には５ｍｍ程度とする。なお、図１には８箇所のナット３２が見えるが、これは、後述の番号札の裏面１２Ｂから、縦フレーム１４Ａ，１４Ｂおよび横フレーム１６Ａ，１６Ｂを取り付けるためのものである。
【００１５】
図２（Ａ）〜（Ｃ）に示すように、番号札の裏面１２Ｂには、その左右の端部近辺に縦フレーム１４Ａ，１４Ｂが、その上下端部付近に横フレーム１６Ａ，１６Ｂが取り付けられている。縦フレーム１４Ａ，１４Ｂは、図２（Ａ），（Ｃ）に示すように、それぞれ溝１８Ａ，１８Ｂを有する棒状部材である。横フレーム１６Ａ，１６Ｂは棒状部材であり、その延在方向垂直断面の形状がＬ字型となっている。縦フレーム１４Ａ，１４Ｂおよび横フレーム１６Ａ，１６Ｂは、ボルト３０とナット３２の対により、番号札１２に固定されている。
【００１６】
ここで、本実施形態では、番号札１２の材質を従来主流のアルミ製からより軽量なＦＲＰ製とし、縦フレーム１４Ａ，１４Ｂおよび横フレーム１６Ａ，１６Ｂの材質を従来主流の鉄製からより軽量なアルミニウム製とした。このため、番号札１２の大型化に伴う重量アップを最小限にとどめることができ、取付け作業を困難にすることがない。
【００１７】
取付治具２０は、番号札１２を鉄塔に固定するための部材群であり、図２（Ｂ）および（Ｃ）に示すように、縦フレーム１４Ａ，１４Ｂに１つずつ取り付けられる。本実施形態では、鉄塔の構成材としての断面形状がＬ字型の鉄材Ｔに番号札１２を固定する場合について示す。取付治具２０は、取付金具２２、一対の固定部材２４Ａ，２４Ｂ、ボルト２６およびナット２８を含む。
【００１８】
取付金具２２は、帯状のプレート部材が図２（Ｂ）に示すように、直角に３回折り曲げられた部材であり、第１プレート２２Ａ、第２プレート２２Ｂ、第３プレート２２Ｃおよび第４プレート２２Ｄからなる。第１プレート２２Ａには穴２９Ａが設けられており、ここでボルト／ナット（図２（Ｂ），（Ｃ）において不図示）により取付金具２２が縦フレーム１４Ａ，１４Ｂに固定されている。ボルト２６は、第３プレート２２Ｃおよび第４プレート２２Ｄの穴を貫通し、固定部材２４Ａ，２４Ｂを介してナット２８を閉めることにより、鉄材Ｔを取付金具２２に固定することができる。ここで、第３プレート２２Ｃおよび第４プレート２２Ｄの穴はプレートの延在方向に細長い形状をしている。よって、鉄材Ｔの寸法（Ｌ字部分の幅）が種々変更されても、鉄材を取付金具２２に固定できる。
【００１９】
また、第２プレート２２Ｂにも穴２９Ｂが設けられており、ここでボルト／ナットにより取付金具２２を縦フレーム１４Ａ，１４Ｂに固定してもよい。その場合、鉄材ＴのＬ字の方向が異なる場合にも鉄材を取付金具２２に固定できる。
【００２０】
前述のように縦フレーム１４Ａ，１４Ｂにはそれぞれ溝１８Ａ，１８Ｂがあるので、取付治具２０の縦フレームへの取付位置は、溝１８Ａ，１８Ｂに沿って上下させることができる。よって、取付位置を左右の取付治具で異ならせれば、鉄塔の斜材に対して、表示板を固定することもできる。
【００２１】
取付治具２０を構成する取付金具２２、固定部材２４Ａ，２４Ｂ、ボルト２６およびナット２８は、溶融亜鉛アルミ合金メッキ加工を施した鋼製とすることが好ましい。これにより、従来の鋼製の取付金具よりも耐候性を向上させることができる。
【実施例】
【００２２】
縦ｘを６００ｍｍ、横ｙを８００ｍｍとして図１，２に示す本考案に従う表示板１０を試作した。番号札はＦＲＰ製、フレームはアルミニウム製、取付治具は溶融亜鉛アルミ合金メッキ加工を施した鋼製とした。また、従来どおりに番号札をアルミニウム製、フレームを鉄製のものとして、上記本考案品と同様の寸法の表示板を比較品として作製したところ、概算重量で比較品は約７．９５ｋｇ、本考案品は約３．５ｋｇと、重量を半減する事ができた。また、本製品は「送電用支持物設計基準」に基づき、強度評価を行った結果、十分な強度を確保していることを確認した。
【産業上の利用可能性】
【００２３】
本考案によれば、鉄塔の中間部に取り付けても空中からの良好な視認性を確保しつつ、取付け作業を困難にすることがない取付金具一体型鉄塔番号表示板を提供することができる。
【符号の説明】
【００２４】
１０  取付金具一体型鉄塔番号表示板
１２  番号札
１２Ａ  番号札のおもて面
１２Ｂ  番号札の裏面
１４Ａ，１４Ｂ  縦フレーム
１６Ａ，１６Ｂ  横フレーム
１８Ａ，１８Ｂ  溝
２０  取付治具
２２  取付金具
【図１】
0003201499.tif 000003
【図２】
0003201499.tif 000004